(57)【要約】　【課題】　冷蔵庫や保温・保冷庫等に使用可能な断熱箱体に関するものであり、断熱性能の向上あるいは生産性の向上を図るものである。　【解決手段】　内箱３と外箱４との空間部の外箱４の内面にあらかじめ熱可塑性樹脂１７を、シート状無機繊維集合体７よりなる芯材２の外周に沿うように塗布し、ガスバリア性フィルムよりなる外被材８で覆って熱溶着した後真空引きすることにより内箱３と外箱４との空間内部に真空断熱材２を形成し、かつ内箱３と外箱４との空間内部に硬質ウレタン６を発泡充填して経時的にも断熱性の高い断熱箱体を合理的に作成する。【選択図】　図７ 
2004012125.tif 000002
【特許請求の範囲】
【請求項１】
　外箱または内箱内面に熱可塑性樹脂または熱可塑性樹脂を最外面に有するラミネートフィルムを貼付し、その熱可塑性樹脂が貼付されている面と同一面に２層以上のシート状無機繊維集合体を配設し、そのシート状無機繊維集合体を覆うガスバリア性フィルムとからなり、前記シート状無機繊維集合体は集合体を形成するために無機バインダーを用い、かつ各層間を固定する接着材を用いず重ねるだけで複層形成してガス発生を抑制したものであり、前記熱可塑性樹脂と前記ガスバリア性フィルムとが熱溶着され、前記シート状無機繊維集合体を芯材として前記外箱または内箱と前記ガスバリア性フィルムとの間を真空引きして前記外箱と内箱とから形成される空間内部に真空断熱材を形成し、かつ前記空間内部に硬質ウレタンフォーム発泡充填してなることを特徴とする断熱箱体。
【発明の詳細な説明】
【技術分野】
【０００１】
　本発明は、冷蔵庫，保温・保冷庫，自動販売機等に使用可能な断熱箱体に関するものである。
【背景技術】
【０００２】
　近年、省エネルギー化や省スペース化をねらいに、家電メーカーや断熱材メーカーを中心に開発が進められている断熱材の１つに、高断熱性能を有する真空断熱材がある。
【０００３】
　前記真空断熱材の一例として、連続気泡を有する硬質ウレタンフォーム等で構成される芯材を、ガスバリア性のラミネートフィルムで覆い、内部を減圧したものがあり、硬質または軟質ウレタンフォーム、あるいは樹脂発泡体に比べ、約２．５倍の断熱性能を有する。
【０００４】
　しかしながら、真空断熱材の芯材として、一般的に用いられている樹脂発泡体あるいは粉体を用いると、樹脂発泡体では折り曲げ性が悪い、経時的にガスが発生する、また粉体を用いると加工性に劣るといった問題が種々存在した。
【０００５】
　これらを解決する手段として、繊維集合体を用いるものが提案されている（例えば、特許文献１参照。）。これは、ガラス繊維やセラミック繊維、あるいは高分子合成化学繊維などの繊維集合体を真空断熱材の芯材として用いることにより、軽量で変形可能な真空断熱材を得るものである。
【特許文献１】特公平５−６３７１５号公報
【発明の開示】
【発明が解決しようとする課題】
【０００６】
　しかしながら、前記従来技術では真空断熱材の加工性に優れない、あるいは製品展開に至っておらず繊維集合体の利点が十分に生かされていないという問題がある。
【０００７】
　また、有機繊維を芯材に用いることは、経時的に芯材からガスが発生し断熱性能が悪化するおそれがある。
【０００８】
　また、断熱箱体の断熱性能向上を目的として、樹脂発泡体あるいは粉体を芯材に用いた真空断熱材を用いる断熱箱体がこれまで考案されているが、これらの芯材では経時断熱性能、あるいは加工性に課題があった。
【０００９】
　本発明は上記課題を鑑み、経時的に信頼性が高くかつ加工性に優れた芯材として無機繊維集合体をシート状とした芯材を用いた真空断熱材を使用することにより、断熱性能および生産性に優れた断熱箱体を得るものである。
【課題を解決するための手段】
【００１０】
　上記課題を解決するため、本発明の断熱箱体は、シート状の無機繊維集合体を芯材に用いた真空断熱材を使用している。
【００１１】
　したがって、真空断熱材の経時発生ガスが非常に少なく、また加工性に優れるため、経時信頼性に優れかつ生産性に優れた断熱箱体を得ることができる。また、薄いシート状物質を芯材に用いているので断熱箱体の厚みが薄くなり、断熱箱体の省スペース化になる。
【００１２】
　また、形状加工を非常に簡単に行える芯材を用いており、複層、あるいは切り欠き，折り曲げ，窪み，貫通孔等の加工を容易に行うことが可能である。
【００１３】
　したがって、必要断熱部に適した真空断熱材を簡単に作製しそれを断熱箱体に適用できることから、断熱箱体に対する真空断熱材の被覆率が向上し断熱箱体の断熱性能も向上するものである。
【００１４】
　さらに、薄いシート状芯材を用いているため、断熱箱体内の仕切り板に使用する際にも薄い仕切り板を得ることができ、箱体内スペースの有効利用が可能となる。
【発明の効果】
【００１５】
　本発明の断熱箱体によれば、真空断熱材の経時発生ガスが非常に少なく、また加工性に優れるため、経時信頼性に優れかつ生産性に優れた断熱箱体を得ることができる。また、薄いシート状物質を芯材に用いているので断熱箱体の厚みが薄くなり、断熱箱体の省スペース化になる。
【００１６】
　また、形状加工を非常に簡単に行える芯材を用いており、複層、あるいは切り欠き，折り曲げ，窪み，貫通孔等の加工を容易に行うことが可能である。
【００１７】
　したがって、必要断熱部に適した真空断熱材を簡単に作製しそれを断熱箱体に適用できることから、断熱箱体に対する真空断熱材の被覆率が向上し断熱箱体の断熱性能も向上するものである。
【００１８】
　さらに、薄いシート状芯材を用いているため、断熱箱体内の仕切り板に使用する際にも薄い仕切り板を得ることができ、箱体内スペースの有効利用が可能となる。
【発明を実施するための最良の形態】
【００１９】
　請求項１に記載の断熱箱体の発明は、外箱または内箱内面に熱可塑性樹脂または熱可塑性樹脂を最外面に有するラミネートフィルムを貼付し、その熱可塑性樹脂が貼付されている面と同一面に２層以上のシート状無機繊維集合体を配設し、そのシート状無機繊維集合体を覆うガスバリア性フィルムとからなり、前記シート状無機繊維集合体は集合体を形成するために無機バインダーを用い、かつ各層間を固定する接着材を用いず重ねるだけで複層形成してガス発生を抑制したものであり、前記熱可塑性樹脂と前記ガスバリア性フィルムとが熱溶着され、前記シート状無機繊維集合体を芯材として前記外箱または内箱と前記ガスバリア性フィルムとの間を真空引きして前記外箱と内箱とから形成される空間内部に真空断熱材を形成し、かつ前記空間内部に硬質ウレタンフォーム発泡充填してなるものである。
【００２０】
　これによって、外箱または内箱内面に真空断熱材を一体成型しておき、その後外箱と内箱とで形成される空間を樹脂発泡体で充填することにより、生産性に優れた断熱箱体を得ることができる。
【００２１】
　また、シート状無機繊維集合体を用いていることから芯材の平面性がよく、配設した外箱または内箱表面との密着性がよいため、断熱箱体の断熱性能が向上する。
【００２２】
　以下、本発明の実施の形態について、図面を参照しながら説明する。なお、従来と同一構成については、同一符号を付して詳細な説明を省略する。また、この実施の形態によってこの発明が限定されるものではない。
【００２３】
　（実施の形態１）
　図１は、本発明の一実施例における断熱箱体の断面図である。１は冷蔵庫を形成する断熱箱体、２は真空断熱材である。断熱箱体１はＡＢＳ樹脂を真空成型した内箱３と鉄板をプレス成形した外箱４とがフランジ５を介して構成される箱体内部にあらかじめ真空断熱材２を配設し、前記真空断熱材以外の空間部を硬質ウレタンフォーム６を発泡充填したものである。
【００２４】
　図２は断熱箱体１の模式図であり、真空断熱材２が断熱箱体の天面に１枚、背面に１枚、側面に２枚配設されている。側面に用いている真空断熱材２は断熱箱体１の形状にあわせて、側壁の形状にあうように一辺を切断されたものを使用している。
【００２５】
　図３は、本実施例における真空断熱材２の断面図であり、７はシート状グラスウール集合体、８は外被材を表している。
【００２６】
　真空断熱材２は、厚さ５ｍｍのシート状グラスウール集合体７を１３０℃で１時間乾燥した後外被材８中に挿入し、内部を真空引きして開口部を封止することにより形成されている。
【００２７】
　外被材８は、片面には、表面保護層としてポリエチレンテレフタレート（１２μｍ）、中間部にはアルミ箔（６μｍ）、熱シール層が高密度ポリエチレン（５０μｍ）からなるラミネートフィルム、もう一方の面には、表面保護層がポリエチレンテレフタレート（１２μｍ）、中間部がエチレン−ビニルアルコール共重合体樹脂組成物（１５μｍ）の内側にアルミニウム蒸着を施したフィルム層，熱シール層が高密度ポリエチレン（５０μｍ）からなるラミネートフィルムである。
【００２８】
　また、外被材８には、耐傷つき性を向上させるために表面保護層にナイロン樹脂層を形成させている。
【００２９】
　上記のような構成の真空断熱材の性能は、３０Ｐａで０．００４３Ｗ／ｍＫであった。
【００３０】
　したがって、厚みが薄くしかも断熱性能のよい真空断熱材２であるため、これを適用した断熱箱体１は薄壁化が可能となり、冷蔵庫の省スペース化、あるいは庫内容積向上となる。
【００３１】
　また、シート状であるため芯材を切断することも容易であり、側壁にあわせた形状のシートを作製し、また好ましくはその形状にあった外被材中に挿入して真空断熱材とすることにより、断熱箱体の被覆率が向上し断熱性能が向上することから、省エネが可能となり環境にやさしい冷蔵庫となる。
【００３２】
　また、無機繊維が難燃性であることから、真空断熱材も燃えにくく、有害ガスを発生しにくい構造を有している。したがって、この真空断熱材を用いた冷蔵庫自体も燃えにくくなる等、安全性の面からも優れている。
【００３３】
　さらに、樹脂発泡体の発泡剤や冷媒等として炭化水素系等の可燃性物質が冷蔵庫中に使用されている場合でも、無機繊維を使用しているため真空断熱材が燃えにくい構造を有していることから、安全性に非常に優れた冷蔵庫とすることができるのである。
【００３４】
　（実施の形態２）
　図４は、本実施例の一形態における断熱箱体の模式図である。
【００３５】
　断熱箱体９はクーラーボックスとして使用されており、箱部１０とふた部１１とから構成されている。
【００３６】
　図５は、本実施例の一形態における箱部の模式図である。
【００３７】
　箱部１０は、ポリプロピレンからなる内箱１２と外箱１３とから形成される空間内部において、内箱内面に真空断熱材２を両面テープで貼付した後、内箱１２と外箱１３とから形成される空間内部の真空断熱材２が配設されない空間部を、硬質ウレタンフォーム６で発泡充填することにより一体成型している。
【００３８】
　図６は、本実施例の一形態におけるふた部の模式図である。
【００３９】
　吸着材１５を有する真空断熱材２を発泡ポリスチレン１４中に配設した後、内枠１４と外枠１５とから形成される空間内部に充填されている。
【００４０】
　図５において、真空断熱材２は、厚さ５ｍｍのシート状グラスウール集合体７からなる芯材を２枚複層して用いており、断熱箱体９の形状にあわせて、１枚の真空断熱材をコの字型に折り曲げている。
【００４１】
　真空断熱材２がシート状の芯材であるため、容易にコの字型に折り曲げることができる。
【００４２】
　したがって、断熱箱体９に対する真空断熱材２の被覆率が向上し、断熱箱体の断熱性能が向上する。
【００４３】
　図６において、ふた部１１は、ポリプロピレンからなる内枠１４と外枠１５とからなる空間内部に、あらかじめ真空断熱材の形状にあわせた窪みを形成した発泡ポリスチレン１６と、その窪みにはめこんだ真空断熱材２とから構成されている。
【００４４】
　ふた部１１に使用されている真空断熱材２は箱部１０に使用されている真空断熱材よりも小さいため、外被材のシール部面積の割合が大きくなる。したがって、外被材のシール部から経時的に侵入してくるガスの影響が大きく、真空断熱材の経時的な性能劣化が大きくなり、ふた部１１の断熱性能が悪化していくことが考えられる。
【００４５】
　したがって、ふた部１１には吸着剤１７を使用している。
【００４６】
　吸着剤１７を挿入した真空断熱材の作製については、真空断熱材の平面性を保つため、シート状グラスウール集合体７に吸着剤１７にあう形状の窪みを、あらかじめプレス機によって形成した。その後、吸着剤１７をシート状グラスウール集合体７の窪みに配設し、外被材に挿入して内部を真空引きした後開口部を封止することにより、真空断熱材を作製した。
【００４７】
　ここで、吸着剤とは少なくとも窒素，酸素，水分，二酸化炭素を吸着除去する常温活性型のゲッター物質にて構成されているものが望ましい。
【００４８】
　（実施の形態３）
　図７は、本実施の一形態における断熱箱体の断面図である。
【００４９】
　１８は冷蔵庫を形成する断熱箱体である。断熱箱体１８はＡＢＳ樹脂を真空成型した内箱３と鉄板をプレス成形した外箱４とからなり、内箱３と外箱４とから形成される箱体内
部に真空断熱材２を配設し、前記真空断熱材以外の空間部を硬質ウレタンフォーム６を発泡充填したものである。
【００５０】
　外箱４の内面にはあらかじめ熱可塑性樹脂１７を、芯材２の外周に沿うように幅１０ｍｍにて塗布しておく。
【００５１】
　このとき、熱可塑性樹脂とは外被材８の熱シール層と熱融着されるものであり、高密度ポリエチレン，低密度ポリエチレン，ポリプロピレン等が望ましい。
【００５２】
　その後、方形状のシート状グラスウール集合体７を外箱４の内面に配設し、外被材８の３辺を熱可塑性樹脂１７と熱融着する。残る１辺から真空引きして熱融着することにより、真空断熱材２とすることができる。
【００５３】
　この際、軽量で平面性に優れ、かつ厚みが薄いシート状グラスウール集合体７を芯材として使用しているので、外箱内面との密着性が良好となることから断熱性能が向上する。また、軽量で薄いことから外箱内面に貼付した際にも自重でずれることもない。
【００５４】
　さらに、真空断熱材とした後、内箱３と外箱４とから形成される空間内部に硬質ウレタンフォームを発泡充填する際にも、芯材が薄いことからフォームの流動性を阻害することもない。したがって、硬質ウレタンフォームがボイドもなく均一に充填されるので、断熱箱体の断熱性能が向上する。
【産業上の利用可能性】
【００５５】
　以上のように、本発明にかかる断熱箱体は、真空断熱材の経時発生ガスが非常に少なく、経時信頼性に優れかつ生産性に優れた断熱箱体を得ることができ、また、薄いシート状物質を芯材に用いているので必要断熱部に真空断熱材を簡単に配設した断熱箱体を形成できることから、真空断熱材の被覆率が高い高断熱性能の断熱箱体を提供でき、冷蔵庫や冷凍設備等家庭用、業務用、産業用等の高い断熱性を要求される断熱構造体に適用できる。
【図面の簡単な説明】
【００５６】
【図１】本発明の一実施例における断熱箱体の断面図
【図２】本発明の一実施例における断熱箱体の模式図
【図３】本発明の一実施例における真空断熱材の断面図
【図４】本発明の一実施例における断熱箱体の模式図
【図５】本発明の一実施例における箱部の模式図
【図６】本発明の一実施例におけるふた部の模式図
【図７】本発明の一実施例における断熱箱体の断面図
【符号の説明】
【００５７】
　１，９，１８　　断熱箱体
　２　真空断熱材
　３，１２　内箱
　４，１３　外箱
　５　フランジ
　６　硬質ウレタンフォーム
　７　シート状グラスウール集合体
　８　外被材
　１０　箱部
　１１　ふた部
　１４　内枠
　１５　外枠
　１６　発泡ポリスチレン
　１７　吸着剤
　１９　熱可塑性樹脂
【図１】
2004012125.tif 000003
【図２】
2004012125.tif 000004
【図３】
2004012125.tif 000005
【図４】
2004012125.tif 000006
【図５】
2004012125.tif 000007
【図６】
2004012125.tif 000008
【図７】
2004012125.tif 000009